(57)【要約】【課題】交通機関の情報を容易に表示するＩＣカードを提供することを目的とする。【解決手段】表示手段３と、定期券情報、交通機関のデジタルチケット情報、ストアードフェアの残額情報の内、少なくとも１つ以上の情報を交通機関の情報として記憶する記憶手段１３及び／又は１４と、表示手段３に交通機関の情報を表示させる制御手段１１と、を有することによって課題を解決する。【選択図】図１
2008207489.tif 000002
【特許請求の範囲】
【請求項１】
表示手段と、
交通機関の情報を記憶する記憶手段と、
前記表示手段に前記交通機関の情報を表示させる制御手段と、
を有することを特徴とするＩＣカード。
【請求項２】
前記記憶手段は、定期券情報、交通機関のデジタルチケット情報、ストアードフェアの残額情報の内、少なくとも１つ以上の情報を交通機関の情報として記憶し、
前記制御手段は、前記定期券情報、前記デジタルチケット情報、前記残額情報の内、少なくとも１つ以上の情報を交通機関の情報として前記表示手段に表示させることを特徴とする請求項１に記載のＩＣカード。
【請求項３】
前記制御手段は、前記表示手段に表示させている前記交通機関に関する情報を変更することを特徴とする請求項１又は２に記載のＩＣカード。
【請求項４】
前記制御手段は、駅務機器からの命令に基づいて、前記表示手段に表示させている前記交通機関に関する情報を変更することを特徴とする請求項３に記載のＩＣカード。
【発明の詳細な説明】
【技術分野】
【０００１】
本発明は、表示手段を有するＩＣカードに関する。
【背景技術】
【０００２】
特許文献１には、プリペイドカードの片面にカード処理装置がサーマルヘッドを用いて利用日時や駅名等を表示させる（又は印刷する）方法に関する技術が開示されている。
【０００３】
【特許文献１】特許第２９９６９３２号公報
【発明の開示】
【発明が解決しようとする課題】
【０００４】
しかしながら、従来の方法では、カードへの情報の印刷に高熱を伴うため、大型の専用機器が必要であった。
【０００５】
本発明はこのような問題点に鑑みなされたもので、交通機関の情報を容易に表示するＩＣカードを提供することを目的とする。
【課題を解決するための手段】
【０００６】
そこで、本発明のＩＣカードは、表示手段と、交通機関の情報を記憶する記憶手段と、前記表示手段に前記交通機関の情報を表示させる制御手段と、を有することを特徴とする。
【０００７】
係る構成とすることにより、制御手段が記憶手段に記憶されている交通機関の情報を表示手段に表示させるので、交通機関の情報を容易に表示するＩＣカードを提供することができる。
【０００８】
なお、表示手段とは、例えば、後述するディスプレイ等に対応する。また、制御手段とは、例えば、後述するＣＰＵ１０等に対応する。また、記憶手段とは、例えば、後述するＲＯＭ１１及び／又はＲＡＭ１２等に対応する。
【発明の効果】
【０００９】
本発明によれば、交通機関の情報を容易に表示するＩＣカードを提供することができる。
【発明を実施するための最良の形態】
【００１０】
以下、本発明の実施形態について図面に基づいて説明する。
【００１１】
図１は、ＩＣカード１の一例を示す構成図である。図１に示されるように、ＩＣカード１は、ＩＣチップ２と、ディスプレイ３と、アンテナ４と、を含む。ここで、ＩＣチップ２は、例えば、ＣＰＵ１０、ＲＯＭ１１、ＲＡＭ１２、ＲＦ回路１３等より構成される。
【００１２】
ＲＯＭ１１には、例えば、後述するようなディスプレイ３への交通機関の情報の表示に関するプログラムが記憶されている。また、ＲＡＭ１２には、例えば、交通機関の情報が記憶されている。ＣＰＵ１０が、この表示に関するプログラムに基づき動作することによって、交通機関の情報をディスプレイ３に表示させたり、ディスプレイ３に表示させている交通機関の情報を変更したりする。なお、本実施形態では、交通機関の情報として、後述する図２に示されるような定期券情報、交通機関のデジタルチケット情報、ストアードフェア（ＳＦ）の残額情報等がディスプレイ３に表示されるものとする。
【００１３】
アンテナ４は、駅務機器の一例である自動改札機等との無線通信に用いられ、自動改札機に情報を送信したり、自動改札機から情報（又はコマンド）を受信したりする。なお、本実施形態では、駅務機器の一例として自動改札機を用いて説明を行うが、このことは本発明の実施を制限するものではない。ＩＣカード１と無線通信可能であれば、自動改札機に限られず、場合に応じて、例えば駅の係員等が用いる携帯型駅係員端末装置や、定期券発売機、のりこし精算機、自動券売機等であってもよい。
【００１４】
図２は、ＩＣカード１のディスプレイ３に交通機関の情報が表示されている一例を示す図である。図２の例では、ディスプレイ３に、定期券情報と、交通機関のデジタルチケット情報と、ＳＦの残額情報と、が表示されている。
【００１５】
図２に示されるように、ＩＣチップ２のＣＰＵ１０が、ＩＣカード内の情報をディスプレイ３に表示させることによって、ユーザは、いつでもＩＣカード内の情報を速やかに視認することができる。
【００１６】
ここで、ユーザがＩＣカード１を用いて、自動改札機２０で出場を行った場合を例に、ディスプレイ３に表示されている情報の変更や、切り替えの例を説明する。図３は、ＩＣカード１と、自動改札機２０とが無線通信を行って、改札処理（又は出場処理）を行っている概念を示す図である。
自動改札機２０は、自動改札機２０の読み取り部にＩＣカード１がかざされると、自動改札機２０のアンテナを介してＩＣカード１と無線通信を行い、ＩＣカード１のＲＯＭ１１やＲＡＭ１２等のメモリに格納されている情報を読み取り、券種判定や、期間判定、区間判定等を行う。自動改札機２０は、これらの判定の結果、ＩＣカード１のデジタルチケット情報を用いた有効な出場であると判定すると、ＩＣカード１に対してデジタルチケット情報の無効コマンドを送信する。なお、自動改札機２０は、例えばデジタルチケット情報の無効コマンドに、無効にするデジタルチケット情報を識別する識別情報等を含めて、ＩＣカード１に送信する。
【００１７】
ＩＣチップ２のＣＰＵ１０は、アンテナ４を介して自動改札機２０より、デジタルチケット情報の無効コマンドを受信すると、このデジタルチケット情報の無効コマンドに基づいて、ＲＡＭ１２に記憶している、無効コマンドに含まれる識別情報に対応するデジタルチケット情報を消去（削除）し、図４又は図５に示すように、デジタルチケット情報の表示を変更する。図４は、表示を変更した一例として、デジタルチケット情報の表示を消去したことを示す図である。一方、図５は、表示を変更した一例として、使用を完了したことを示す情報をデジタルチケット情報と共に表示させた一例を示す図である。
【００１８】
このように、ＩＣチップ２のＣＰＵ１０が、自動改札機２０等の駅務機器からのコマンドに応じて、ディスプレイ３の表示を変更することによって、大型の専用機器を用いずとも速やかに表示の書き換え（変更）を行うことができる。
【００１９】
なお、ＩＣチップ２のＣＰＵ１０は、アンテナ４を介して自動券売機等より新たなデジタルチケット情報の書き込みコマンドを受信すると、このデジタルチケット情報の書き込みコマンドに基づいて、ＲＡＭ１２に新たなデジタルチケット情報を記憶し、例えば消去したデジタルチケット情報に換えて、又は使用を完了したことを示す情報共に表示させているデジタルチケット情報に換えて、新たなデジタルチケット情報をディスプレイ３に表示させる。
【００２０】
また、自動改札機２０よりデジタルチケット情報の無効コマンドを受信し、無効コマンドに含まれる識別情報に対応するデジタルチケット情報を消去した際、他のデジタルチケット情報がＲＡＭ１２に記憶されている場合、ＩＣチップ２のＣＰＵ１０は、消去したデジタルチケット情報に替わり、このＲＡＭ１２に記憶されている他のデジタルチケット情報をディスプレイ３に表示させてもよい。図６は、表示を切り替えた一例として、ＲＡＭ１２に記憶されている他のデジタルチケット情報を表示させた一例を示す図である。
【００２１】
このように、複数のデジタルチケット情報がＲＡＭ１２に記憶されている場合、ＩＣチップ２のＣＰＵ１０が、コマンドに基づいて、使用されたデジタルチケット情報を消去し、次のデジタルチケット情報をディスプレイ３に表示させるように表示を切り替えることによって、常に有効なデジタルチケット情報をディスプレイ３に表示させることができる。
【００２２】
なお、複数のデジタルチケット情報がＲＡＭ１２に記憶されている場合、ＩＣチップ２のＣＰＵ１０は、ＲＡＭ１２に記憶されているデジタルチケット情報の内、デジタルチケット情報の有効日時情報等に基づいて、最も早く有効日時を迎えるデジタルチケット情報をディスプレイ３に表示させる。
【００２３】
また、ＩＣチップ２のＣＰＵ１０は、例えば、ディスプレイ３に、予め定められた表示空き領域以上の表示空き領域があると判断した場合、ＲＡＭ１２に記憶されているデジタルチケット情報の内、表示空き領域に表示可能な数のデジタルチケット情報を（図７の例では２つのデジタルチケット情報を）ディスプレイ３に表示させるようにしてもよい。図７は、複数のデジタルチケット情報をディスプレイ３に表示させた一例を示す図である。なお、図７の例では、ＩＣカード１のＲＡＭ１２に定期券情報は記憶されていない（又はＲＡＭ１２に記憶されている定期券情報の期限が経過し、消去した）ものとしている。
【００２４】
このようにＩＣチップ２のＣＰＵ１０が、複数のデジタルチケット情報をディスプレイ３に表示させることによって、例えば、ユーザが往復の乗車券・新幹線特急券を購入している場合、これらの情報をユーザは一度にディスプレイ３において確認することができる。
【００２５】
なお、ＩＣチップ２のＣＰＵ１０は、ＲＡＭ１２に記憶されている、定期券情報と、交通機関のデジタルチケット情報と、ＳＦの残額情報と、を図２等に示したようにディスプレイ３に常に一度に表示させなくてもよい。ＩＣチップ２のＣＰＵ１０は、例えば、図８に示されるように、予め定められた時間間隔（例えば、５秒等）毎にディスプレイ３の表示を切り替えて、定期券情報や、交通機関のデジタルチケット情報、ＳＦの残額情報を表示させるようにしてもよい。図８は、予め定められた時間間隔毎にディスプレイ３の表示を切り替える一例を示した図である。
【００２６】
図８に示されるように、ＩＣチップ２のＣＰＵ１０が、ディスプレイ３に表示させる情報を切り替えることによって、例えば、図８（ｂ）に示されるように、ＩＣカード１に複数のデジタルチケット情報が記憶されていた場合、この複数のデジタルチケット情報（図８（ｂ）の例では２つ）を一度にディスプレイ３に表示させることができる。また、例えば図８（ａ）に示されるように、ディスプレイ３全体に情報を表示させることができるため、ユーザによる視認性が向上する。
【００２７】
以上、上述したように本実施形態によれば、ユーザはＩＣカード内のデータを容易に視認することができる。また、本実施形態によれば、専用機器を用いずともＩＣカード１は、速やかに交通機関の情報をディスプレイ３に表示させることができる。また、本実施形態によれば、ＩＣカード１がディスプレイ３の表示を切り替えることによって、視認性を低下させることなく、交通機関の情報をディスプレイ３に表示させることができる。
【００２８】
以上、本発明の好ましい実施形態について詳述したが、本発明は係る特定の実施形態に限定されるものではなく、特許請求の範囲に記載された本発明の要旨の範囲内において、種々の変形・変更が可能である。
【００２９】
例えば、上述した実施形態では、ＩＣチップ２のＣＰＵ１０が、自動改札機２０からのデジタルチケット情報の無効コマンドに基づき、デジタルチケット情報を削除し、ディスプレイ３の表示を変更した例を説明したが、表示の変更（又は表示させている情報の変更）はこれに限定されるものではない。
【００３０】
例えば、自動改札機２０は、改札処理においてＩＣカード１のＳＦの残額を更新すると、ＳＦの残額更新コマンドをＩＣカード１に送信する。ＩＣチップ２のＣＰＵ１０は、自動改札機２０より、残額更新コマンドを、アンテナ４を介して受信すると、受信した残額更新コマンドに基づいて、ＲＡＭ１２に記憶しているＳＦの残額情報を更新し、ディスプレイ３におけるＳＦの残額情報の表示を変更（又は更新）する。
【００３１】
また、例えば、自動改札機２０は、改札処理においてＩＣカード１の定期券情報の期限が切れていると判定すると、定期券期限切れコマンドをＩＣカード１に送信する。ＩＣチップ２のＣＰＵ１０は、自動改札機２０より、定期券期限切れコマンドを、アンテナ４を介して受信すると、ＲＡＭ１２に記憶している定期券情報を消去し、ディスプレイ３における定期券情報の表示を変更する。
【００３２】
なお、例えば、自動改札機２０は、改札処理においてＩＣカード１の定期券情報の期限が予め定められた期間内（例えば、定期券情報の期限がきれる２週間前等）になったと判定すると、定期券期限通知コマンドをＩＣカード１に送信するようにしてもよい。ＩＣチップ２のＣＰＵ１０は、自動改札機２０より、定期券期限通知コマンドを、アンテナ４を介して受信すると、受信した定期券期限通知コマンドに基づいて、ディスプレイ３における定期券情報の表示を変更し、例えば何日後に定期券がきれる旨の情報を定期券情報と共に、ディスプレイ３に表示させるようにしてもよい。
【図面の簡単な説明】
【００３３】
【図１】ＩＣカード１の一例を示す構成図である。
【図２】ＩＣカード１のディスプレイ３に交通機関の情報が表示されている一例を示す図である。
【図３】ＩＣカード１と、自動改札機２０とが無線通信を行って、改札処理（又は出場処理）を行っている概念を示す図である。
【図４】表示を変更した一例として、デジタルチケット情報の表示を消去したことを示す図である。
【図５】表示を変更した一例として、使用を完了したことを示す情報をデジタルチケット情報と共に表示させた一例を示す図である。
【図６】表示を切り替えた一例として、ＲＡＭ１２に記憶されている他のデジタルチケット情報を表示させた一例を示す図である。
【図７】複数のデジタルチケット情報をディスプレイ３に表示させた一例を示す図である。
【図８】予め定められた時間間隔毎にディスプレイ３の表示を切り替える一例を示した図である。
【符号の説明】
【００３４】
１    ＩＣカード
２    ＩＣチップ
３    ディスプレイ
４    アンテナ
１０  ＣＰＵ
１１  ＲＯＭ
１２  ＲＡＭ
１３  ＲＦ回路
２０  自動改札機
【図１】
2008207489.tif 000003
【図２】
2008207489.tif 000004
【図３】
2008207489.tif 000005
【図４】
2008207489.tif 000006
【図５】
2008207489.tif 000007
【図６】
2008207489.tif 000008
【図７】
2008207489.tif 000009
【図８】
2008207489.tif 000010